(57)【要約】  本発明は、マルチメディアコンテンツに対する部分回避及び同時アクセスを制御することを目的とする。これに関わって、本発明は、マルチメディアコンテンツを消費する装置であって、マルチメディアコンテンツと、該マルチメディアコンテンツに対する部分回避を禁止する条件を表すライセンスデータとを受信する受信部と、前記ライセンスデータを前記受信部から受信し、前記マルチメディアコンテンツに対するライセンス条件を解析し、部分回避に関する制御信号を生成するライセンス解析部と、前記生成された制御信号によって前記マルチメディアコンテンツの所定の部分に対する部分回避または同時アクセスを制御する制御部とを備える。
2009532929.tif 000002
【特許請求の範囲】
【請求項１】
マルチメディアコンテンツを消費する装置であって、
マルチメディアコンテンツと、前記マルチメディアコンテンツに対する部分回避を禁止する条件を表すライセンスデータとを受信する受信部と、
前記受信部から前記ライセンスデータを受信し、前記マルチメディアコンテンツに対するライセンス条件を解析し、部分回避に対する制御信号を生成するライセンス解析部と、
生成された前記制御信号によって前記マルチメディアコンテンツの所定の部分に対する回避を制御する制御部と
を備えることを特徴とする装置。
【請求項２】
前記部分回避を禁止する条件は、部分回避が禁止されるマルチメディアコンテンツの区間に関する情報を含むことを特徴とする請求項１に記載の装置。
【請求項３】
前記コンテンツの区間に関する情報は、時間情報であることを特徴とする請求項２に記載の装置。
【請求項４】
前記時間情報は、開始時間及び持続時間を含むことを特徴とする請求項３に記載の装置。
【請求項５】
前記時間情報は、開始時間及び終了時間を含むことを特徴とする請求項３に記載の装置。
【請求項６】
マルチメディアコンテンツを消費する装置であって、
マルチメディアコンテンツと、前記マルチメディアコンテンツに対する同時アクセスを許容する条件を表すライセンスデータとを受信する受信部と、
前記受信部から前記ライセンスデータを受信し、前記マルチメディアコンテンツに対するライセンス条件を解析し、同時アクセスに対する制御信号を生成するライセンス解析部と、
生成された前記制御信号によって前記マルチメディアコンテンツに対する同時アクセスを制御する制御部と
を備えることを特徴とする装置。
【請求項７】
前記同時アクセスを許容する条件は、同時アクセスに利用可能なマルチメディアコンテンツを処理する装置の数である、同時アクセスの許容回数を含むことを特徴とする請求項６に記載の装置。
【請求項８】
前記同時アクセスを許容する条件は、前記同時アクセスの許容回数が適用される期間をさらに含むことを特徴とする請求項７に記載の装置。
【請求項９】
前記制御部の制御下で前記マルチメディアコンテンツを再生する再生部をさらに備えることを特徴とする請求項１または６に記載の装置。
【請求項１０】
マルチメディアコンテンツを消費する方法であって、
ａ）マルチメディアコンテンツと、前記マルチメディアコンテンツに対する部分回避を禁止する条件を表示するライセンスデータとを受信するステップと、
ｂ）前記マルチメディアコンテンツに対するライセンス条件を前記ライセンスデータから抽出し、部分回避に対する制御信号を生成するステップと、
ｃ）生成された前記制御信号によって前記マルチメディアコンテンツの所定の部分に対する回避を制御するステップと
を含むことを特徴とする方法。
【請求項１１】
前記部分回避を禁止する条件は、部分回避が禁止されるマルチメディアコンテンツの区間に関する情報を含むことを特徴とする請求項１０に記載の方法。
【請求項１２】
前記コンテンツの区間に関する情報は、時間情報であることを特徴とする請求項１１に記載の方法。
【請求項１３】
前記時間情報は、開始時間及び持続時間を含むことを特徴とする請求項１２に記載の方法。
【請求項１４】
前記時間情報は、開始時間及び終了時間を含むことを特徴とする請求項１２に記載の方法。
【請求項１５】
マルチメディアコンテンツを消費する方法であって、
ａ）マルチメディアコンテンツと、前記マルチメディアコンテンツに対する同時アクセスを許容する条件を表すライセンスデータとを受信するステップと、
ｂ）前記マルチメディアコンテンツに対するライセンス条件を前記ライセンスデータから抽出し、同時アクセスに対する制御信号を生成するステップと、
ｃ）生成された前記制御信号によって前記マルチメディアコンテンツに対する同時アクセスを制御するステップと
を含むことを特徴とする方法。
【請求項１６】
前記同時アクセスを許容する条件は、同時アクセスに利用可能なマルチメディアコンテンツを処理する装置の数である、同時アクセスの許容回数を含むことを特徴とする請求項１５に記載の装置。
【請求項１７】
前記同時アクセスを許容する条件は、前記同時アクセスの許容回数が適用される期間をさらに含むことを特徴とする請求項１６に記載の装置。
【請求項１８】
マルチメディアコンテンツに対する部分回避を制御するためのライセンスデータであって、
前記マルチメディアコンテンツに対する部分回避の禁止条件を表すデータを含むことを特徴とするライセンスデータ。
【請求項１９】
前記部分回避の禁止条件は、部分回避が禁止されるマルチメディアコンテンツの区間に関する情報を含むことを特徴とする請求項１８に記載のライセンスデータ。
【請求項２０】
前記コンテンツの区間に関する情報は、時間情報であることを特徴とする請求項１９に記載のライセンスデータ。
【請求項２１】
前記時間情報は、開始時間及び持続時間を含むことを特徴とする請求項２０に記載のライセンスデータ。
【請求項２２】
前記時間情報は、開始時間及び終了時間を含むことを特徴とする請求項２０に記載のライセンスデータ。
【請求項２３】
マルチメディアコンテンツに対する同時アクセスを制御するためのライセンスデータであって、
同時アクセスに利用可能なマルチメディアコンテンツを処理する装置の数である、同時アクセスの許容回数を表すデータと、
前記同時アクセスの許容回数が適用される期間を表すデータと
を含むことを特徴とするライセンスデータ。
【発明の詳細な説明】
【技術分野】
【０００１】
本発明は、マルチメディアコンテンツに対する部分回避（ｐａｒｔｉｃａｌ  ａｖｏｉｄａｎｃｅ）または同時アクセス（ｓｉｍｕｌｔａｎｅｏｕｓ  ａｃｃｅｓｓ）を制御するためのライセンスデータ、並びに該ライセンスデータを利用するマルチメディアコンテンツを消費する装置及び方法に関する。
【背景技術】
【０００２】
放送及びストリーミング環境におけるマルチメディアデータは、衛星、地上波、ケーブル、インターネットなどを介して伝送される。ユーザは、伝送されたリソースを、自身のデバイスで再生し、またはコピーすることができる。保存されたリソースを変更すること、あるいは、他のデバイスにエクスポートし、またはコピーすることができる。本明細書では、このようにマルチメディアコンテンツが利用される様々な形態を「消費（Ｃｏｎｓｕｍｐｔｉｏｎ）」と表現する。
【０００３】
一方、かかる環境において、マルチメディアコンテンツに対する回避およびアクセスは、制約される必要がある。第１に、マルチメディアコンテンツが広告を含む場合、収益率は、広告を回避する可能性に従って異なることがある。したがって、ユーザが広告部分をスキップできないようにする必要がある。第２に、現在オンエア中のリソースに対する許容可能な同時アクセスの範囲を制限する必要がある。
【０００４】
しかし、従来のマルチメディアコンテンツの消費装置（ｃｏｎｓｕｍｉｎｇ  ａｐｐａｒａｔｕｓ）は、マルチメディアコンテンツを再生または保存するときに、ユーザが、部分回避を介して広告部分をスキップすることがある問題がある。また、従来のコンテンツ消費装置は、マルチメディアコンテンツに対する同時アクセスの回数を制御する手段を有していない。
【発明の開示】
【発明が解決しようとする課題】
【０００５】
本発明は、マルチメディアコンテンツに対するアクセスまたは回避に関する条件を表すライセンスデータを提供することを一目的とする。
【０００６】
また、本発明は、マルチメディアコンテンツを消費する装置を提供し、マルチメディアコンテンツに対する部分回避を制御することを他の目的とする。
【０００７】
また、本発明は、マルチメディアコンテンツを消費する装置を提供し、マルチメディアコンテンツに対する同時アクセスを制御することを更なる目的とする。
【課題を解決するための手段】
【０００８】
かかる目的を達成するために提案された本発明は、マルチメディアコンテンツを消費する装置であって、マルチメディアコンテンツと、前記マルチメディアコンテンツに対する部分回避を禁止する条件を表すライセンスデータとを受信する受信部と、前記受信部から前記ライセンスデータを受信し、前記マルチメディアコンテンツに対するライセンス条件を解析し、部分回避に対する制御信号を生成するライセンス解析部と、前記生成された制御信号によって前記マルチメディアコンテンツの所定の部分に対する回避を制御する制御部とを備えることを一特徴とする。
【０００９】
好ましくは、前記部分回避の禁止条件は、部分回避が禁止されるマルチメディアコンテンツの区間（ｉｎｔｅｒｖａｌ）に関する時間情報である。前記時間情報は、開始時間及び持続時間であるか、開始時間及び終了時間を含む。
【００１０】
また、本発明は、マルチメディアコンテンツを消費する装置であって、マルチメディアコンテンツと、前記マルチメディアコンテンツに対する同時アクセスの許容条件を表すライセンスデータとを受信する受信部と、前記受信部から前記ライセンスデータを受信し、前記マルチメディアコンテンツに対するライセンス条件を解析し、同時アクセスに対する制御信号を生成するライセンス解析部と、前記生成された制御信号によって前記マルチメディアコンテンツに対する同時アクセスを制御する制御部とを備えることを他の特徴とする。
【００１１】
好ましくは、前記同時アクセスの許容条件は、同時アクセスに利用可能なマルチメディアコンテンツの消費装置の数である、同時アクセスの許容回数、及び前記同時アクセスの許容回数が適用される期間を含むことができる。
【００１２】
また、本発明は、マルチメディアコンテンツを消費する方法であって、ａ）マルチメディアコンテンツと、前記マルチメディアコンテンツに対する部分回避を禁止する条件を表すライセンスデータとを受信するステップと、ｂ）前記ライセンスデータから前記マルチメディアコンテンツに対するライセンス条件を抽出し、部分回避に対する制御信号を生成するステップと、ｃ）前記生成された制御信号によって前記マルチメディアコンテンツの所定の部分に対する回避を制御するステップとを含むことを更なる特徴とする。
【００１３】
また、本発明は、マルチメディアコンテンツを消費する方法であって、ａ）マルチメディアコンテンツと、前記マルチメディアコンテンツに対する同時アクセスの許容条件を表すライセンスデータとを受信するステップと、ｂ）前記ライセンスデータから前記マルチメディアコンテンツに対するライセンス条件を抽出し、同時アクセスに対する制御信号を生成するステップと、ｃ）前記生成された制御信号によって前記マルチメディアコンテンツに対する同時アクセスを制御するステップとを含むことを更なる特徴とする。
【００１４】
また、本発明は、マルチメディアコンテンツに対する部分回避を制御するためのライセンスデータであって、前記マルチメディアコンテンツのうち部分回避が禁止される部分の開始時間を表すデータと、前記部分回避の禁止部分が持続される時間を表すデータとを含むことを更なる特徴とする。
【００１５】
また、本発明は、マルチメディアコンテンツに対する同時アクセスを制御するためのライセンスデータであって、前記マルチメディアコンテンツに対して許容される同時アクセスの回数を表すデータと、前記同時アクセスの回数が適用される期間を表示するデータとを含むことを更なる特徴とする。
【発明の効果】
【００１６】
本発明によると、ライセンスデータを使用することにより、マルチメディアコンテンツに対する部分回避(またはスキップ)及び同時アクセスの条件を表すことができ、このようなライセンスデータに基づいて、マルチメディアコンテンツを消費する装置におけるマルチメディアコンテンツのスキップ及び同時アクセスを制御することができる。また、スキップの場合に、ユーザが、マルチメディアコンテンツの一部に挿入されている広告をスキップすることを禁止することによって、広告によって付加された価値を保障することができる。
【発明を実施するための最良の形態】
【００１７】
本発明の利点、特徴、および態様は、添付の図面を参照して以下で詳述される本発明の実施形態に関する説明から明らかになる。図面において、同じ参照符号は同一または類似の構成要素を示すものとして使われる。
【００１８】
図１は、本発明の一実施形態にかかるマルチメディアコンテンツの消費装置の構成図である。図示したように、マルチメディアコンテンツの消費装置１００は、コンテンツ／ライセンス受信部１０６、ライセンス解析部１０８、機能制御部１１０、再生部１１２からなる。コンテンツ／ライセンス受信部１０６は、マルチメディアコンテンツ１０２、及び該マルチメディアコンテンツ対するライセンスデータ１０４を受信する。ここで、ライセンスデータ１０４は、部分回避を禁止する部分を開始時間及び持続時間として表し、また同時アクセスの許容回数及び期間を表す。ライセンスデータ１０４は、マルチメディアコンテンツに含まれて伝送されるか、別のチャネルを介してコンテンツ／ライセンス受信部１０６に伝送され得る。コンテンツ／ライセンス受信部１０６は、受信したデータからライセンスデータを分離し、該ライセンスデータをライセンス解析部１０８に伝送する。
【００１９】
ライセンス解析部１０８は、コンテンツ／ライセンス受信部１０６からライセンスデータ１０４を受信し、ライセンスデータ１０４からマルチメディアコンテンツ１０２に対するライセンス条件を解析して、部分回避及び同時アクセスを制御する制御信号を生成する。このように生成された制御信号は、機能制御部１１０に提供される。
【００２０】
機能制御部１１０は、ライセンス解析部１０８から伝送された制御信号に従って、バッファの設定、スキップ機能の設定、同時アクセスの機能の設定などによって、マルチメディアコンテンツに対する部分回避または同時アクセスを制御する。
【００２１】
再生部１１２は、機能制御部１１０の制御下においてマルチメディアコンテンツ１０２を再生する。本実施形態は、マルチメディアコンテンツを再生する装置の例を示す。マルチメディアコンテンツを保存する装置の場合は、再生部１１２の代わりに記憶装置が設置される。
【００２２】
図２は、本発明の一実施形態にかかるマルチメディアコンテンツの消費方法を示すフローチャートである。ステップＳ２０２，２０４において、マルチメディアコンテンツ１０２、及び該マルチメディアコンテンツ１０２に対するライセンスデータ１０４が、有線／無線通信ネットワークを介して入力される。ライセンスデータ１０４は、部分回避を禁止する部分を開始時間及び持続時間として表し、また同時アクセスの許容回数及び期間も表す。次に、ステップＳ２０６において、マルチメディアコンテンツ１０２に対するライセンス条件をライセンスデータ１０４から解析し、部分回避及び同時アクセスを制御する制御信号を生成する。次に、ステップＳ２０８において、生成された制御信号にしたがって、マルチメディアコンテンツ１０２に対する部分回避及び同時アクセスを制御する制御機能を設定する。これに伴い、ステップＳ２１０で、マルチメディアコンテンツ１０２を再生する。
【００２３】
図３は、本発明の一実施形態にかかるマルチメディアコンテンツの部分回避の制御を記述する言語表現方法を示す。この条件要素により、１つのリソースにおける部分回避に関する制限条件が定義され得る。図３における「ｒｅｌＳｔａｒｔＴｉｍｅ」は、マルチメディアコンテンツのうち部分回避が禁止される部分の開始時間を示し、「ｒｅｌＤｕｒａｉｏｎ」は、部分回避の禁止部分が持続する時間を示す。
【００２４】
この条件がライセンス権限に表示されると、マルチメディアコンテンツを再生または保存するときの所与の条件に対して、部分回避(またはスキップ)を禁止することができる。例えば、ユーザは、所定の開始時間の制限時間内は、所定のマルチメディアコンテンツを前後にスキップすることができない。放送事業者は、所定のマルチメディアコンテンツに広告を挿入することによって収益を獲得する場合が多い。放送事業者は、所与の条件を用いてユーザが広告をスキップすることを防止し、広告を介して付加された価値を得ることができる。
【００２５】
次の表１は、部分回避が開始される時間が３０分であり、部分回避が持続される時間が１５分である場合のＲＥＬ（Ｒｉｇｈｔｓ  Ｅｘｐｒｅｓｓｉｏｎ  Ｌａｎｇｕａｇｅ）構文の一例である。
【００２６】
【表１】
2009532929.tif 000003
【００２７】
上記の機能に対するＸＭＬ（ｅＸｔｅｎｓｉｂｌｅ  Ｍａｒｋｕｐ  Ｌａｎｇｕａｇｅ）構文の一例は次の表２の通りである。
【００２８】
【表２】
2009532929.tif 000004
【００２９】
図４は、本発明の一実施形態にかかるマルチメディアコンテンツの同時アクセスの制御を記述する言語表現方法を示す。この条件は、１つのリソースに対する同時アクセスの回数及び時間を制御することができる。この条件がライセンスに含まれる場合、「ｃｏｕｎｔ」に定義された数の装置が、「ｐｅｒｉｏｄ」に定義された期間だけリソースにアクセスすることができる。
【００３０】
次の表３は、５台以下の装置に２００６年７月から１２月までの期間の間リソースに対する再生を許容する場合のＲＥＬ構文の一例である。
【００３１】
【表３】
2009532929.tif 000005
【００３２】
上記の機能に対するＸＭＬ構文の一例は、次の表４の通りである。
【００３３】
【表４】
2009532929.tif 000006
【００３４】
上述した実施形態は、当業者が本発明を容易に理解して実施できるようにするためであって、本発明の範囲を限定するためのものではない。
【００３５】
本発明を、いくつかの好適な実施形態に関して説明してきたが、当業者は、特許請求の範囲によって定められる本発明の範囲内から逸脱することなく、上述した実施形態に多様な変形及び変更を行うことができることは認識されよう。
【産業上の利用可能性】
【００３６】
上述したように、本発明によると、ライセンスデータを介してマルチメディアコンテンツに対するスキップ及び同時アクセスの条件を表すことができる。このようなライセンスデータにより、マルチメディアコンテンツを消費する装置において、ライセンスデータに基づいてマルチメディアコンテンツに対するスキップ及び同時アクセスを制御することが可能になる。また、本発明は、ユーザがマルチメディアコンテンツの一部に挿入された広告をスキップすることを禁止することによって、広告による付加的な価値を保障することができる。
【図面の簡単な説明】
【００３７】
【図１】本発明の一実施形態にかかるマルチメディアコンテンツの消費装置の構成図である。
【図２】本発明の一実施形態にかかるマルチメディアコンテンツの消費方法を示すフローチャートである。
【図３】本発明の一実施形態にかかるマルチメディアコンテンツの部分回避の制御を記述する言語表現方法を示す図である。
【図４】本発明の一実施形態にかかるマルチメディアコンテンツの同時アクセスの制御を記述する言語表現方法を示す図である。
【図１】
2009532929.tif 000007
【図２】
2009532929.tif 000008
【図３】
2009532929.tif 000009
【図４】
2009532929.tif 000010
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
マルチメディアコンテンツを消費する装置であって、
前記マルチメディアコンテンツに対する部分回避を禁止する部分回避の禁止条件情報を受信する受信部と、
前記部分回避の禁止条件情報から前記マルチメディアコンテンツに対する部分回避の禁止条件を解析して前記マルチメディアコンテンツの所定の部分に対する回避を制御する制御部と
を備えることを特徴とする装置。
【請求項２】
前記部分回避の禁止条件情報は、部分回避の禁止が適用されるマルチメディアコンテンツの区間情報を含むことを特徴とする請求項１に記載の装置。
【請求項３】
前記区間情報は、時間情報であることを特徴とする請求項２に記載の装置。
【請求項４】
前記時間情報は、開始時間及び持続時間を含むことを特徴とする請求項３に記載の装置。
【請求項５】
前記時間情報は、開始時間及び終了時間を含むことを特徴とする請求項３に記載の装置。
【請求項６】
マルチメディアコンテンツを消費する装置であって、
前記マルチメディアコンテンツに対する同時接続の許容条件情報を受信する受信部と、
前記同時接続の許容条件情報から前記マルチメディアコンテンツに対する同時接続の許容条件を解析して前記マルチメディアコンテンツに対する同時接続の許容を制御する制御部と
を備えることを特徴とする装置。
【請求項７】
前記同時接続の許容条件情報は、同時接続が許容される回数情報を含むことを特徴とする請求項６に記載の装置。
【請求項８】
前記同時接続の許容条件は、前記同時接続の許容回数が適用される期間情報を含むことを特徴とする請求項７に記載の装置。
【請求項９】
前記制御部の制御によって前記マルチメディアコンテンツを再生する再生部をさらに備えることを特徴とする請求項１または６に記載の装置。
【請求項１０】
マルチメディアコンテンツを消費する方法であって、
前記マルチメディアコンテンツに対する部分回避を禁止する部分回避の禁止条件情報を受信するステップと、
前記部分回避の禁止条件情報から前記マルチメディアコンテンツに対する部分回避の禁止条件を解析して前記マルチメディアコンテンツの所定の部分に対する回避を制御するステップと
を含むことを特徴とする方法。
【請求項１１】
前記部分回避の禁止条件情報は、部分回避の禁止が適用されるマルチメディアコンテンツの区間情報を含むことを特徴とする請求項１０に記載の方法。
【請求項１２】
前記区間情報は、時間情報であることを特徴とする請求項１１に記載の方法。
【請求項１３】
前記時間情報は、開始時間及び持続時間を含むことを特徴とする請求項１２に記載の方法。
【請求項１４】
前記時間情報は、開始時間及び終了時間を含むことを特徴とする請求項１２に記載の方法。
【請求項１５】
マルチメディアコンテンツを消費する方法であって、
前記マルチメディアコンテンツに対する同時接続の許容条件情報を受信するステップと、
前記同時接続の許容条件情報から前記マルチメディアコンテンツに対する同時接続の許容条件を解析して前記マルチメディアコンテンツに対する同時接続の許容を制御するステップと
を含むことを特徴とする方法。
【請求項１６】
前記同時接続の許容条件情報は、同時接続の許容される回数情報を含むことを特徴とする請求項１５に記載の方法。
【請求項１７】
前記同時接続の許容条件は、前記同時接続の許容回数が適用される期間情報を含むことを特徴とする請求項１６に記載の方法。
【請求項１８】
マルチメディアコンテンツに対する部分回避を禁止する部分回避の禁止条件情報から前記マルチメディアコンテンツに対する部分回避の禁止条件を解釈するステップと、
前記解釈された部分回避の条件に応じて前記マルチメディアコンテンツの所定の部分に対する回避を制御するステップと
を行うことを特徴とするコンピュータで読込みできる記録媒体。
【請求項１９】
前記部分回避の禁止条件情報は、部分回避の禁止が適用されるマルチメディアコンテンツの区間情報を含むことを特徴とする請求項１８に記載のコンピュータで読込みできる記録媒体。
【請求項２０】
前記区間情報は、時間情報であることを特徴とする請求項１９に記載のコンピュータで読込みできる記録媒体。
【請求項２１】
前記時間情報は、開始時間及び持続時間を含むことを特徴とする請求項２０に記載のコンピュータで読込みできる記録媒体。
【請求項２２】
前記時間情報は、開始時間及び終了時間を含むことを特徴とする請求項２０に記載のコンピュータで読込みできる記録媒体。
【請求項２３】
マルチメディアコンテンツに対する同時接続の許容条件情報から前記マルチメディアコンテンツに対する同時接続の許容条件を解釈するステップと、
前記解釈された同時接続の許容条件に応じて前記マルチメディアコンテンツに対する同時接続の許容を制御するステップとを行い、
前記同時接続の許容条件は、
前記マルチメディアコンテンツに対して許容される同時接続の回数を表示するデータ、及び前記同時接続の回数が適用される期間を表示するデータを含むことを特徴とするコンピュータで読込みできる記録媒体。
【国際調査報告】
2009532929.tif 000011
2009532929.tif 000012